(57)【要約】【課題】リーダライタ装置の通信範囲の広範囲化を実現すること。【解決手段】表示部１４と、表示部１４を保持するための上ケース２Ａと、上ケース２Ａの外面に配置され、且つ表示部１４の周囲に巻線されたループアンテナ２１と、を備える。【選択図】図４
2011034465.tif 000002
【特許請求の範囲】
【請求項１】
表示部と、
前記表示部を保持するための上ケースと、
前記上ケースの外面に配置され、且つ前記表示部の周囲に設けられたループアンテナと、
を備えるリーダライタ装置。
【請求項２】
前記ループアンテナは、前記上ケースの外面に配置され、且つ前記表示部の周囲に巻線されて設けられた請求項１に記載のリーダライタ装置。
【請求項３】
枠形カバーを備え、
前記枠形カバーは、
前記ループアンテナを覆う請求項１又は２に記載のリーダライタ装置。
【請求項４】
前記ループアンテナと、前記ループアンテナをメイン基板に接続するためのサブ基板とを電気的に接続させるための接点コネクタを備える請求項１から３のいずれか一項に記載のリーダライタ装置。
【請求項５】
タッチパネルと、
前記ループアンテナの通信動作中に、前記タッチパネルの座標更新動作を停止させる制御部と、
を備える請求項１から４のいずれか一項に記載のリーダライタ装置。
【請求項６】
前記表示部を取付け可能な中ケースと、
前記ループアンテナをメイン基板に接続するためのサブ基板と、を備え、
前記サブ基板は、
前記ループアンテナの利得特性を調整するためのトリマーを備え、  
前記中ケースは、
前記中ケースを前記上ケースに取付けた状態で前記トリマーを調整するための切り欠き又は穴を備える請求項１から５のいずれか一項に記載のリーダライタ装置。
【請求項７】
前記ループアンテナと、前記枠形カバーとを一体成型した請求項３から６のいずれか一項に記載のリーダライタ装置。
【請求項８】
前記ループアンテナと、前記上ケースとの間に磁性体シートを備える請求項１から７のいずれか一項に記載のリーダライタ装置。
【発明の詳細な説明】
【技術分野】
【０００１】
本発明はリーダライタ装置に関する。
【背景技術】
【０００２】
従来、ＲＦＩＤ（Radio frequency Identification）アンテナを有し、このＲＦＩＤアンテナによりＩＣ（Integrated Circuit）タグ（ＲＦＩＤタグ）や非接触ＩＣカードに記録された情報を非接触に読み取るＲＦＩＤ機能を有するハンディターミナル、ＰＤＡ（Personal Digital Assistant）等のリーダライタ装置が知られている。ＲＦＩＤタグは、例えば、生産された商品に付され、その商品の識別情報が記録される。また、非接触ＩＣカードは、例えば、電車，バス等の乗車券、電子マネーの情報の記録に用いられる。
【０００３】
特に、１３．５６ＭＨｚ帯のＲＦＩＤタグ及び非接触ＩＣカードの利用は急速に広がっている。以下、ＲＦＩＤタグ及び非接触ＩＣカードを総称してＲＦＩＤタグと記す。
【０００４】
１３．５６ＭＨｚ帯のＲＦＩＤで通信を行う場合、ＲＦＩＤアンテナにはループアンテナが使用され、電界ではなく磁界による通信が行われる。
【０００５】
ループアンテナを使用した磁界による通信では、ＲＦＩＤタグ内にあるループアンテナとリーダライタ装置のループアンテナとを向かい合わせると通信しやすいという特徴がある。
【０００６】
また、ループアンテナのループ面積を広くしたり、ループアンテナの巻き数を増やしたりすると、リーダライタ装置の通信範囲が広がるという特徴がある。また、ループアンテナ付近に金属部品があるとループアンテナから出力された磁界が阻害されて通信範囲を広く取れないという特徴がある。その他にも、リーダライタ装置の通信距離は短い（約０〜１００ｍｍ程度）という特徴がある。
【０００７】
このため、１３.５６ＭＨｚ帯のＲＦＩＤで通信を行う場合は、通信範囲を広く取るために、ループアンテナの巻き数を多くすること、ループアンテナの面積を広くすること及びループアンテナ近辺には金属部品を配置しないことが重要となる。さらに、通信範囲を広く取るために、ＲＦＩＤタグ内にあるループアンテナとリーダライタ装置のループアンテナとの距離分の通信損失（通信距離の損失）を少なくすることが重要となる。
【０００８】
また、液晶パネルの背面側にループアンテナを配置することで、設置面積を小さくすることのできる技術も知られている（例えば、特許文献１参照）。
【先行技術文献】
【特許文献】
【０００９】
【特許文献１】特開２００７−２５７４８３号公報
【発明の概要】
【発明が解決しようとする課題】
【００１０】
リーダライタ装置のケース内には空きスペースが少ないため、アンテナ実装位置を確保しづらい。このため、ループアンテナのループ面積が小さくなってしまう。例えば、特許文献１の技術では、液晶パネルの背面側にループアンテナを配置している。この構成の場合、ループアンテナのループ面積が小さくなってしまう。
【００１１】
また、リーダライタ装置内部に金属部品が存在する場合（例えば、リーダライタ装置内部にあるＬＣＤ（Liquid Crystal Display）の枠が金属部品である場合）、金属部品とループアンテナとの距離が近いと、ループアンテナから出力された磁界が金属部品により阻害されてしまう。例えば、特許文献１の技術では、液晶パネルとループアンテナとがリーダライタ装置内部に構成されている。ここで、液晶パネルの枠が金属部品である場合、金属部品とループアンテナとの距離は近くなる。この場合、ループアンテナから出力された磁界が金属部品により阻害されてしまう。
【００１２】
また、例えば、ループアンテナを、リーダライタ装置内部にモジュールとして組み込んだ場合、ＲＦＩＤタグ内にあるループアンテナとリーダライタ装置のループアンテナとの距離が離れてしまい、通信損失が大きくなってしまう。
【００１３】
上記の理由より、リーダライタ装置の通信範囲を広く取ることができないという問題があった。
【００１４】
本発明の課題は、リーダライタ装置の通信範囲の広範囲化を実現することである。
【課題を解決するための手段】
【００１５】
請求項１に記載の発明のリーダライタ装置は、表示部と、前記表示部を保持するための上ケースと、前記上ケースの外面に配置され、且つ前記表示部の周囲に巻線されたループアンテナと、を備える。
【００１６】
請求項２に記載の発明は、請求項１に記載のリーダライタ装置において、前記ループアンテナは、前記上ケースの外面に配置され、且つ前記表示部の周囲に巻線されて設けられた。
【００１７】
請求項３に記載の発明は、請求項１又は２に記載のリーダライタ装置において、枠形カバーを備え、前記枠形カバーは、前記ループアンテナを覆う。
【００１８】
請求項４に記載の発明は、請求項１から３のいずれか一項に記載のリーダライタ装置において、前記ループアンテナと、前記ループアンテナをメイン基板に接続するためのサブ基板とを電気的に接続させるための接点コネクタを備える。
【００１９】
請求項５に記載の発明は、請求項１から４のいずれか一項に記載のリーダライタ装置において、タッチパネルと、前記ループアンテナの通信動作中に、前記タッチパネルの座標更新動作を停止させる制御部と、を備える。
【００２０】
請求項６に記載の発明は、請求項１から５のいずれか一項に記載のリーダライタ装置において、前記表示部を取付け可能な中ケースと、前記ループアンテナをメイン基板に接続するためのサブ基板と、を備え、前記サブ基板は、前記ループアンテナの利得特性を調整するためのトリマーを備え、前記中ケースは、前記中ケースを前記上ケースに取付けた状態で前記トリマーを調整するための切り欠き又は穴を備える。
【００２１】
請求項７に記載の発明は、請求項３から６のいずれか一項に記載のリーダライタ装置において、前記ループアンテナと、前記枠形カバーとを一体成型した。
【００２２】
請求項８に記載の発明は、請求項１から７のいずれか一項に記載のリーダライタ装置において、前記ループアンテナと、前記上ケースとの間に磁性体シートを備える。
【発明の効果】
【００２３】
本発明によれば、リーダライタ装置の通信範囲の広範囲化を実現することができる。
【図面の簡単な説明】
【００２４】
【図１】本発明に係る実施の形態のハンディターミナルの概略図である。
【図２】ハンディターミナルからベゼルを取り外した状態を示す図である。
【図３】ハンディターミナルの内部構成を示す図である。
【図４】ハンディターミナルの断面図を示す図である。
【図５】上ケースにサブＰＣＢを取り付ける前の状態を示す図である。
【図６】上ケースにサブＰＣＢを取り付けた後の状態を示す図である。
【図７】ＲＦＩＤ通信処理の流れを示すフローチャートである。
【図８】トリマーコンデンサを備えたサブＰＣＢが上カバーに取り付けられたときの状態を示す図である。
【図９】サブＰＣＢのマッチング回路を示す図である。
【図１０】上ケースに下ケース及びメインＰＣＢが取付けられていない状態を示す図である。
【図１１】ループアンテナとベゼルとを一体成型した構成を示す図である。
【図１２】ループアンテナと上カバーとの間に磁性体シート備えた構成を示す図である。
【発明を実施するための形態】
【００２５】
以下、添付図面を参照して本発明に係る実施の形態の一例を詳細に説明する。ただし、発明の範囲は、図示例に限定されない。
【００２６】
図１〜７を参照して、本発明に係る実施の形態を説明する。先ず、図１を参照して、本発明に係るリーダライタ機能を有したリーダライタ装置としてのハンディターミナル１０の概略図を説明する。
【００２７】
本実施の形態のハンディターミナル１０は、スーパーマーケット，コンビニエンスストア，個人商店等の店舗で使用される。ハンディターミナル１０は、各種情報の入力及び記憶機能と、ＲＦＩＤタグの情報読み取り機能と、商品に付されたバーコードの情報を読み取るバーコード読み取り機能と、を有する。例えば、ハンディターミナル１０でＲＦＩＤタグの情報を読み取る場合、図１に示す表示部１４の近くにＲＦＩＤタグを位置させることにより、ＲＦＩＤタグの情報の読み取りが行われる。ここで、ハンディターミナル１０は、少なくともＲＦＩＤタグの読み取り機能を有する携帯端末装置であればよい。また、ハンディターミナル１０は、店舗使用以外の他の用途で使用されるものとしてもよい。
【００２８】
図１に示すように、ハンディターミナル１０は、ベゼル１と、ケース２と、を備える。ベゼル１は、表示部１４のカバー（枠形カバー）である。ケース２は、樹脂性のケースであり、上ケース２Ａ、下ケース２Ｂを備える。上ケース２Ａは、ハンディターミナル１０の各部品（表示部１４等）を保持するためのケースである。また、ハンディターミナル１０は、正面に表示部１４、タッチパネル１６、キー入力部１２Ａを備える。また、ハンディターミナル１０は、先端にスキャナ部１８を備える。
【００２９】
表示部１４は、ＬＣＤ（Liquid Crystal Display）より構成され、各種画面を表示する。タッチパネル１６は、表示部１４と一体的に構成される。キー入力部１２Ａは、各種機能キー、文字・数字入力キー、カーソルキー等を有し、ユーザによる各キー押下により、各種機能の決定、文字・数字、移動等の入力を受け付ける。スキャナ部１８は、バーコードや二次元コードから反射された反射光を受光して、バーコードの情報を読み取る。
【００３０】
図２に、ハンディターミナル１０からベゼル１を取り外した状態を示す。図２に示すように、上ケース２Ａの外面にループ状のＲＦアンテナ（以下、ループアンテナ２１と記す）が配置され、ループアンテナ２１は、表示部１４（タッチパネル１６）の周囲に巻線されている（巻線として形成されている）。ループアンテナ２１の巻線形状は、図９により後述する。
【００３１】
具体的には、ループアンテナ２１は、ＲＦＩＤタグの情報読み取りや情報の読み書きを行うためのコイルアンテナであり、コイル状の銅泊の線を含むＦＰＣ（Flexible Printed Circuits）により構成されたアンテナである。
【００３２】
次いで、図３を参照して、ハンディターミナル１０の内部の機能構成を説明する。図３に示すように、ハンディターミナル１０は、制御部としてのＣＰＵ１１と、操作部１２と、ＲＡＭ（Random Access Memory）１３と、表示部１４と、ＲＯＭ（Read Only Memory）１５と、タッチパネル１６と、フラッシュメモリ１７と、スキャナ部１８と、Ｉ／Ｆ（Inter Face）部１９と、リーダライタ部２０と、ループアンテナ２１と、電源部２２と、を備え、電源部２２を除く各部がバス２３を介して接続されている。
【００３３】
ＣＰＵ１１は、ハンディターミナル１０の各部を制御する。ＣＰＵ１１は、ＲＯＭ１５に記憶されているシステムプログラム及びアプリケーションプログラムのうち、指定されたプログラムを読み出してＲＡＭ１３に展開し、ＲＡＭ１３に展開されたプログラムとの協働で、各種処理を実行する。
【００３４】
操作部１２は、各種キー１２Ａを含むキーパッドを備える。操作部１２は、キーパッドの各キーの操作入力を受け付け、操作入力に応じた操作情報をＣＰＵ１１に出力する。
【００３５】
ＲＡＭ１３は、情報を一時的に記憶する揮発性のメモリである。ＲＡＭ１３は、各種データ及びプログラムを格納するワークエリアを有する。
【００３６】
表示部１４は、ＬＣＤ等により構成される。表示部１４は、ＣＰＵ１１から入力される表示情報に応じて各種表示を行う。また、表示部１４の枠（フレーム）は、耐性向上のため金属部品で構成される。
【００３７】
ＲＯＭ１５は、各種プログラム、各種データが予め読み出し専用に記憶されているメモリである。ＲＯＭ１５には、後述するＲＦＩＤ通信プログラム１５１が記憶されている。
【００３８】
タッチパネル１６は、例えば、表示部１４の表示画面上或いは表示画面よりも内側に設けられ、電磁誘導方式、磁気歪式、感圧式等の方式により、表示画面上におけるユーザの指又はタッチペンの接触位置のＸＹ座標を検出し、その座標情報をＣＰＵ１１に出力する。
【００３９】
フラッシュメモリ１７は、情報を読み書き自在に記憶する半導体メモリである。スキャナ部１８は、レーザ光等の発光部、受光部、ゲイン回路、二値化回路等を備える。スキャナ部１８において、発光部から出射された光がバーコードに照射され、その反射光が受光部により受光されて電気信号に変換され、その電気信号がゲイン回路により増幅され、二値化回路により白黒のバーコードイメージのデータに変換される。このように、スキャナ部１８は、バーコードイメージを読み取り、そのバーコードイメージのデータをＣＰＵ１１に出力する。
【００４０】
Ｉ／Ｆ部１９は、所定機器と接続可能であり、接続された機器との通信を仲介する接続部である。
【００４１】
リーダライタ部２０は、ループアンテナ２１を有し、ＣＰＵ１１の指示に従い、ループアンテナ２１を介してＲＦＩＤタグの情報を読み取り、読み書きする。より具体的には、リーダライタ部２０は、ＲＦＩＤタグがループアンテナ２１の読取可能範囲に配置された状態で、ＣＰＵ１１から入力された送信信号を変調してループアンテナ２１に入力する。すると、ループアンテナ２１から発生する電磁界を介して、ＲＦＩＤタグ内のループアンテナに電流が発生し、その電気信号が復調され符号化されることにより、ＲＦＩＤタグ側で情報が受信される。そして、ＲＦＩＤタグ内のメモリの情報読み出し又は情報書き込みが行われる。また、ＲＦＩＤタグから、メモリから読み出した情報等の送信情報の信号に応じてループアンテナ２１に発生する電磁界を介して、ループアンテナ２１に電流が流れ、リーダライタ部２０によりその電気信号が変調され符号化されることにより、リーダライタ部２０側で情報が受信される。
【００４２】
電源部２２は、ハンディターミナル１０の各部に電源を供給する電源である。電源部２２は、例えば、リチウム電池等の二次電池である。
【００４３】
図４に、ハンディターミナル１０の断面概略構造を示す。図４に示す断面概略構造は、図２に示すＡ−Ａ断面を示した構造である。図４に示すように、ハンディターミナル１０は、下ケース２Ｂと、メイン基板としてのメインＰＣＢ（Printed Circuit Board）３と、中ケース４と、表示部（ＬＣＤ）１４と、衝撃吸収シート＋スペーサー部５と、タッチパネル１６と、ＦＰＣ＋コネクタ部６と、サブ基板としてのサブＰＣＢ７と、接点コネクタとしてのコンタクトコネクタ８と、ネジ９と、上ケース２Ａと、ループアンテナ２１と、ベゼル１と、を備えて構成される。
【００４４】
メインＰＣＢ３は、ハンディターミナル１０の各部を制御するためのプリント基板である。メインＰＣＢ３には、ＣＰＵ（Central Processing Unit）、ループアンテナ２１のマッチング回路等が実装される。中ケース４は、樹脂製のケースであり、表示部１４と、メインＰＣＢ３との間に配置される。衝撃吸収シート＋スペーサー部５は、液晶割れを防ぐための衝撃吸収部である。
【００４５】
ＦＰＣ＋コネクタ部６は、メインＰＣＢ３とサブＰＣＢ７とを電気的に接続する。サブＰＣＢ７は、ループアンテナ２１をメインＰＣＢ３に接続（電気的に接続）するための基板である。すなわち、ループアンテナ２１とメインＰＣＢ３とは、サブＰＣＢ７を介して接続される。
【００４６】
また、ＰＣＢ７は、ハンディターミナル１０の周辺機能（ＬＥＤ（Light Emitting Diode）の発光機能、スピーカ（図示省略）の音声出力機能等）が搭載されている。コンタクトコネクタ８は、接点バネ式のコネクタである。
【００４７】
ループアンテナ２１は、上ケース２Ａの外面に配置され、且つ表示部１４（タッチパネル１６）の周囲に巻線される。また、ループアンテナ２１の一部は、上ケース２Ａに空けられた隙間を通して上ケース２Ａの内面に配線される。また、ループアンテナ２１と上ケース２Ａとは両面テープ（図示省略）により接着される。また、ループアンテナ２１は、ベゼル１で覆われる。
【００４８】
次に、図５及び図６を参照して、サブＰＣＢ７と上ケース２Ａとの取付けについて説明する。図５は、図４のＢ方向から見た図であり、上ケース２ＡにサブＰＣＢ７を取付ける（固定する）前の状態を示した図である。具体的には、図５は、下ケース２Ｂ、メインＰＣＢ３、表示部１４、衝撃吸収シート＋スペーサー部５、及びタッチパネル１６が上ケース２Ａに取付けられていない状態において、上ケース２ＡにサブＰＣＢ７を取付ける前の状態を示した図である。
【００４９】
図５に示すように、サブＰＣＢ７上には、コンタクトコネクタ８、及びＦＰＣ＋コネクタ部６が備えられている。また、上ケース２Ａには、コンタクトコネクタ８と接続される接続部３１が備えられている。接続部３１は、ループアンテナ２１に電気的に接続されている。
【００５０】
図６は、上ケース２ＡにサブＰＣＢ７を取付けた（固定した）後の状態を示した図である。サブＰＣＢ７と上ケース２Ａとは、ネジ９を止めることにより固定される。図６に示すように、サブＰＣＢ７と、上ケース２Ａとがネジ９で固定されると、コンタクトコネクタ８の接点バネの弾性力により、図５で示した上ケース２Ａの接続部３１とコンタクトコネクタ８とが接触して接続される。これにより、ループアンテナ２１とサブＰＣＢ７とが電気的に接続される。
【００５１】
次に、図７を参照して、ハンディターミナル１０がＲＦＩＤ通信処理を実行する場合について説明する。図７に、ＲＦＩＤ通信処理の流れを示す。ＲＦＩＤ処理は、ＲＦＩＤ通信中に、タッチパネル１６の座標更新を停止する処理である。
【００５２】
予め、操作部１２を介するユーザからの操作入力に応じて、タッチパネル座標更新処理が実行されているものとする。タッチパネル座標更新処理は、ユーザの指がタッチパネル１６に接触した際に、接触された位置（タッチパネル１６上の座標値）を更新する処理である。
【００５３】
ハンディターミナル１０において、例えば、ユーザからＲＦＩＤ通信処理の実行指示の押下入力がなされたことをトリガとして、ＲＯＭ１５から読み出されて適宜ＲＡＭ１３に展開されたＲＦＩＤ通信プログラム１５１と、ＣＰＵ１１との協働により、ＲＦＩＤ通信処理が実行される。
【００５４】
先ず、タッチパネル座標更新処理が停止される（ステップＳ１１）。そして、ＲＦＩＤ通信が実行される（ステップＳ１２）。すなわち、ハンディターミナル１０とＲＦＩＤタグとの間で磁界による通信が行われる。
【００５５】
ステップＳ１２の実行後、ＲＦＩＤ通信は終了したか否かが判別される（ステップＳ１３）。具体的には、例えば、情報の送受信が終了してから予め定められた時間が経過したか否かに基づいて、本ステップの判別が行われる。
【００５６】
ステップＳ１３において、ＲＦＩＤ通信が終了していないと判別された場合（ステップＳ１３；ＮＯ）、ステップＳ１２に移行される。ステップＳ１３において、ＲＦＩＤ通信が終了したと判別された場合（ステップＳ１３；ＹＥＳ）、タッチパネル座標更新処理が再開される（ステップＳ１４）。ステップＳ１４の実行後、ＲＦＩＤ通信処理は終了される。
【００５７】
以上、本実施の形態によれば、上ケース２Ａの外面にループアンテナ２１を配置するので、ループアンテナ２１とＲＦＩＤタグのループアンテナとの距離をより短くすることができるので、通信損失を少なくすることができる。また、上ケース２Ａの外面にループアンテナ２１を配置するので、ループアンテナ２１のループ面積を広く取ることができる。また、上ケース２Ａ等を介して金属部品（表示部１４の枠）と離れた位置にループアンテナ２１を配置するので、金属部品による磁界の阻害を防止することができる。このため、ハンディターミナル１０の通信範囲の広範囲化を実現することができる。
【００５８】
また、ループアンテナ２１をベゼル１で覆うことで、ループアンテナ２１を保護することができる。
【００５９】
また、例えば、コンタクトコネクタ８に代えて差し込み式のコネクタとする構成の場合、コネクタを差し込んで、さらにネジ止めをする作業が必要となる。しかし、コンタクトコネクタ８の構成であれば、ネジ止めの作業だけでループアンテナ２１とサブＰＣＢ７とを電気的に接続させることができ、コネクタを差し込む作業を行う必要がない。このため、作業工程を省略することができ、組み立ての効率を向上（作業負担を低減）させることができる。
【００６０】
また、ＲＦＩＤ通信中は、タッチパネルの座標更新動作を停止させるので、ユーザがＲＦＩＤタグをかざす際に、ＲＦＩＤタグやユーザの指が誤ってタッチパネル１６に触れてしまうことによる誤動作を防止することができる。
【００６１】
（第１の変形例）
図８〜図１０を参照して、上記実施の形態の第１の変形例を説明する。以下、上記実施の形態と同様な部分には同一の符号を付し、その詳細な説明を援用し、異なる部分について説明する。
【００６２】
本変形例のハンディターミナル１０Ａは、中ケース４を中ケース４Ａに変更し、サブＰＣＢ７上にトリマーとしてのトリマーコンデンサ７Ａを備えた構成にしたものである。
【００６３】
図８は、図４のＢ方向から見た図であり、下ケース２Ｂ、メインＰＣＢ３、表示部１４、衝撃吸収シート＋スペーサー部５、及びタッチパネル１６が上ケース２Ａに取付けられていない状態であり、且つサブＰＣＢ７が上ケース２Ａに取り付けられた状態を示した図である。
【００６４】
図８に示すように、本変形例では、サブＰＣＢ７上にトリマーコンデンサ７Ａを備える。トリマーコンデンサ７Ａは、サブＰＣＢ７上のアンテナ利得調整用のマッチング回路Ｍにおけるコンデンサ容量を調整するためのトリマーである。
【００６５】
図９に、サブＰＣＢ７上のアンテナ利得調整用のマッチング回路Ｍを示す。例えば、製造者により、トリマーコンデンサ７Ａがドライバ等により調整されると、アンテナ利得調整用のマッチング回路ＭにおけるコンデンサＣの容量が調整される。コンデンサＣの容量が調整されると、ループアンテナ２１の利得特性が調整される。ループアンテナ２１は、アンテナＦＰＣ上に、例えば図９に示すような巻線形状で構成されている。
【００６６】
次に、図１０を参照して、本変例の中ケース４Ａを説明する。図１０は、図４のＢ方向から見た図であり、上ケース２Ａに下ケース２Ｂ及びメインＰＣＢ３が取付けられていない状態を示した図である。ここで、表示部１４（図１０中の２点鎖線）は、中ケース４Ａに取付けられる。また、メインＰＣＢ３は中ケース４の上（表示部１４が取付けられる側と逆側）に取付けられる。
【００６７】
図１０に示すように、中ケース４Ａには、切り欠きＣが存在する。この切り欠きＣにより、製造者は、ハンディターミナル１０Ａから下ケース２Ｂを取り外した状態で、サブＰＣＢ７上のトリマーコンデンサ７Ａの調整が可能な状態となる。なお、切り欠きＣは、穴形状であってもよい。
【００６８】
以上、本変形例によれば、中ケース４Ａに切り欠きＣ、サブＰＣＢ７にトリマーコンデンサ７Ａを備える構成により、下ケース２Ｂを取り外すだけで、トリマーコンデンサ７Ａの調整が可能となる。このため、製品の最終的な組み立て工程であっても、製造者は、トリマーコンデンサ７Ａを調整することができる。また、サブＰＣＢ７を取り付ける工程であっても、製造者は、トリマーコンデンサ７Ａを調整することができる。このため、ループアンテナ２１の利得特性の調整の自由度を向上させることができる。
【００６９】
また、製品の最終的な組み立て工程でトリマーコンデンサ７Ａを調整することで、表示部１４（金属部品の枠付き）を取付けた状態でループアンテナ２１の利得調整（マッチング回路Ｍのコンデンサ容量の調整）作業を行うことができる。すなわち、最終製品と同じ状態でループアンテナ２１の利得調整を行うことができるので、予め表示部１４を取付けた状態を予想してループアンテナ２１の利得調整を行う必要がない。このため、正確にループアンテナ２１の利得調整を行うことができる。
【００７０】
（第２の変形例）
図１１を参照して、第２の変形例について説明する。以下、上記実施の形態と同様な部分には同一の符号を付し、その詳細な説明を援用し、異なる部分について説明する。
【００７１】
本変形例のハンディターミナル１０Ｂは、ハンディターミナル１０のベゼル１及びループアンテナ２１を一体成型（モールド）した構成に変更したものである。図１１は、本変形例のハンディターミナル１０Ｂのベゼル１Ａ及びループアンテナ２１を示した断面図である。図１１に示すように、ベゼル１Ａ、ループアンテナ２１及び接続ケーブル３２をモールドした構成となる。
【００７２】
以上、本変形例によれば、ベゼル１Ａ及びループアンテナ２１が一体成型されるので、ループアンテナ２１とベゼル１Ａとを上ケース２Ａに別々に取付ける必要がない。このため、上ケース２Ａにベゼル１Ａを取付けるだけでよく、組み立て作業の負担を低減することができる。
【００７３】
（第３の変形例）
図１２を参照して、上記実施の形態の第３の変形例を説明する。以下、上記実施の形態と同様な部分には同一の符号を付し、その詳細な説明を援用し、異なる部分について説明する。
【００７４】
本変形例のハンディターミナル１０Ｃは、ハンディターミナル１０に高磁性体の磁性体シート３３を追加した構成に変更したものである。図１２は、本変形例のハンディターミナル１０Ｃのベゼル１、ループアンテナ２１及び磁性体シート３３を示した図である。図１２に示すように、ハンディターミナル１０Ｃは、ループアンテナ２１と上ケース２Ａとの間に磁性体シート３３を備える。磁性体シート３３は、例えば、酸化鉄、酸化クロム、コバルト、フェライト等の磁性体により構成されている。この磁性体シート３３は、ループアンテナ２１から出力される磁界を通しやすい特性を有する。
【００７５】
以上、本変形例によれば、磁性体シート３３の磁界を通しやすい特性により、ループアンテナ２１と金属部品（表示部１４の枠）との距離を離す効果を有する。例えば、磁性体シート３３を備える構成と磁性体シート３３を備えない構成とを比較した場合、磁性体シートを備える構成の方が約１０倍の厚みを持つ効果を有する（すなわち、磁性体シート３３を備えない場合よりもループアンテナ２１と金属部品との距離を約１０倍離す効果を有する）。このため、磁性体シート３３を備えることにより、ループアンテナ２１と金属部品との距離を離す効果を有し、ループアンテナ２１から出力された磁界が金属部品により阻害されてしまうことをより一層防止することができる。
【００７６】
なお、上記実施の形態及び各変形例における記述は、本発明に係るリーダライタ装置の一例であり、これに限定されるものではない。例えば、上記実施の形態及び上記変形例のうち少なくとも２つを組み合わせる構成としてもよい。
【００７７】
上記実施の形態及び各変形例では、リーダライタ装置としてハンディターミナルを用いる構成としたが、ＰＤＡ、携帯電話機等、他の携帯端末装置としてもよい。
【００７８】
また、上記実施の形態では、ユーザからＲＦＩＤ通信処理の実行指示の押下入力がなされたことをトリガとしてＲＦＩＤ通信処理を実行することとしたが、これに限定されるものではない。例えば、ＲＦＩＤ通信処理は、周期的に実行されることとしてもよい。
【００７９】
また、上記実施の形態及び各変形例におけるリーダライタ装置の各構成要素の細部構成及び細部動作に関しては、本発明の趣旨を逸脱することのない範囲で適宜変更可能であることは勿論である。
【符号の説明】
【００８０】
１０，１０Ａ，１０Ｂ，１０Ｃ  ハンディターミナル
１     ベゼル
２     ケース
２Ａ   上ケース
２Ｂ   下ケース
１４   表示部
１２Ａ キー入力部
１１   ＣＰＵ
１２   操作部
１３   ＲＡＭ
１４   表示部
１５   ＲＯＭ
１６   タッチパネル
１７   フラッシュメモリ
１８   スキャナ部
１９   Ｉ／Ｆ部
２０   リーダライタ部
２１   ループアンテナ
２２   電源部
２３   バス
３     メインＰＣＢ
４，４Ａ     中ケース
５     衝撃吸収シート＋スペーサー部
６     ＦＰＣ＋コネクタ部
７     サブＰＣＢ
８     コンタクトコネクタ
９     ネジ
７Ａ    トリマーコンデンサ
Ｍ     マッチング回路
【図１】
2011034465.tif 000003
【図２】
2011034465.tif 000004
【図３】
2011034465.tif 000005
【図４】
2011034465.tif 000006
【図５】
2011034465.tif 000007
【図６】
2011034465.tif 000008
【図７】
2011034465.tif 000009
【図８】
2011034465.tif 000010
【図９】
2011034465.tif 000011
【図１０】
2011034465.tif 000012
【図１１】
2011034465.tif 000013
【図１２】
2011034465.tif 000014